(57)【特許請求の範囲】
【請求項１】
容器本体の嵌合凹部に、蓋体の嵌合凸条を嵌合することにより、前記容器本体と蓋体とを一体化する包装用容器であって、
前記嵌合凹部を形成している外側壁の外縁に、これから立ち上がって外方に広がる第１フレア部を一体的に形成し、
前記蓋体の嵌合凸条の外縁に、前記容器本体側の第１フレア部上に広がる第２フレア部を一体的に形成し、
当該第２フレア部の一部に、つまみ部を形成し、
さらに、前記容器本体に前記蓋体を一体化した場合に、前記第２フレア部が前記第１フレア部全体を覆い尽くすことを特徴とする包装用容器。
【請求項２】
前記第１フレア部の外周縁及び前記第２フレア部の外周縁に、それぞれフランジが形成され、
前記容器本体に前記蓋体を一体化した場合に、前記フランジは互いに嵌合しないことを特徴とする請求項１に記載の包装用容器。
【発明の詳細な説明】
【技術分野】
【０００１】
本発明は、包装用容器に関し、特に、カット野菜（サラダ）やカットフルーツを収納するのに適した、容器本体と蓋体とからなる包装用容器に関するものである。
【背景技術】
【０００２】
野菜、サラダあるいは果物は、そのままで販売されることが一般的であるが、「一人住まい」が多くなってきている近年では、これらを小分け（カット）したものが好まれるようになってきている。そして、当然のことながら、これらのカット野菜（サラダ）やカットフルーツを小分けして収納する包装用容器が必要になってきている。
【０００３】
このようなカットサラダやカットフルーツを小分けして収納する包装用容器は、一般的には合成樹脂シートを「シート成形」した容器本体と蓋体とからなるものが多く、収納したカットサラダやカットフルーツ等の内容物が新鮮で美しく見えるようにするものが要望されてきてもいる。
【０００４】
このようなカットサラダやカットフルーツを収納するのにも利用できると考えられる包装用容器としては、例えば、特許文献１において提案されている。
【先行技術文献】
【特許文献】
【０００５】
【特許文献１】特開２００１−２８７７２５号公報、要約、段落０００１
【発明の概要】
【発明が解決しようとする課題】
【０００６】
この特許文献１の「包装用容器」は、当該文献１の段落０００１にも記載されているように、「容器本体と蓋体とが合成樹脂フイルム素材で成形され、容器本体に対して蓋体を嵌合させる態様とした包装用容器であって、主としてミニトマトやキンカン、びわ等の小形の生鮮食品や果物を収納して陳列販売するのに使用される使い捨てタイプの軽量包装容器」であり、図１０にも示すように、「容器本体１が、垂下壁の少なくとも四隅部分の上半部に外周方向に向かって突出する外向き突出部と、更に、前記フランジ縁の一部を外周方向に突出させて形成した下部ツマミ１５とを備え、蓋体２が、縦壁２２の少なくとも四隅部分の下半部に内周方向に向かって突出する内向き突出部２４と、更に、前記水平なフランジ部２３の一部を外周方向に突出させて形成した上部ツマミ２５とを備えている」ものである。
【０００７】
また、この特許文献１の容器本体１は、当該文献１の段落００１０に記載されているように、「上部開口周縁部１０に外周方向に向かって延設された約６ｍｍ幅の水平な段部１１と、該段部１１の外周縁から垂下された約７ｍｍ幅の垂下壁１２と、該垂下壁１２の下端から更に外周方向に向かって延設された約２ｍｍ幅の水平なフランジ縁１３とを備えていて、前記垂下壁１２の四隅部分と各四辺とには、上下方向幅の上半部に配置されて外周方向に向かって突出する複数の外向き突出部１４…が形成され、更に、前記フランジ縁１３の一つの角隅部分を外周方向に突出させて約１ｍｍ下げて形成した下部ツマミ１５を備えている」ものである。
【０００８】
そして、この特許文献１の容器本体１は、当該文献１の段落００１３に記載されているように、「このような構造とされた容器は、容器本体１内にミニトマトを所要重量分入れて、上方から蓋体２を容器本体１に載せて軽く押し付ければ蓋体２の嵌合を完了することができる。一旦閉蓋すると、容器の横方向を掴んでも、その掴み力は上下に面接し水平方向に所定の幅をもつ水平な段部１１と水平な鍔部２１と、水平なフランジ縁１３とフランジ部２３とによって受け止められ、縦壁に形成されて上下方向で係合する突出部１４…，２４…どうしは、その位置関係を密接する方向に作用されることとなって係合関係が解除されることはない。したがって、蓋体２を開封するには、前記上下に配置された上下のツマミ１５，２５を摘んで引き離す操作を必要とする」ものとなっている。
【０００９】
ところが、この特許文献１の容器では、上記のように、「蓋体２を開封するには、前記上下に配置された上下のツマミ１５，２５を摘んで引き離す操作を必要とする」ものとなっていて、この引き離し操作で蓋体２が急に外れた際に、中身であるミニトマトが容器の外に飛び出してしまう虞がある。
【００１０】
また、この特許文献１の包装用容器では、カットサラダにドレッシングをかけて混ぜようとすると、「上部開口周縁部１０に外周方向に向かって延設された約６ｍｍ幅の水平な段部１１と、該段部１１の外周縁から垂下された約７ｍｍ幅の垂下壁１２と、該垂下壁１２の下端から更に外周方向に向かって延設された約２ｍｍ幅の水平なフランジ縁１３と」を備えていることから、カットサラダやドレッシングが外に零れてしまうことになる。
【００１１】
また、一般に、カットサラダやカットフルーツは、容器内にギューギューに詰めることはなく、見栄えを良くする必要があることもあって、「フンワリ感」や「豪華さ」を印象付けるための盛り合わせ状態を考慮して収納される。その点、例えば図１０に示すような一般的な容器であると、収納効率の上では何ら問題はないが、カットサラダやカットフルーツの「フンワリ感」や「豪華さ」が出しづらい点では、一考を要するものとなっていると考えられる。特に、カットサラダやカットフルーツを収納した後に、運搬や保管を容器毎行う場合、盛り合わせ状態が崩れにくいようにすることは、この種のカットサラダやカットフルーツを収納するための容器には必要になるのである。
【００１２】
そこで、本発明者等は、カットサラダやドレッシング、そしてカットフルーツが飛び出したり零れたりせず、しかも盛り合わせ状態が崩れにくくて見栄えを良くすることのできる包装用容器とするにはどうしたらよいか、について種々検討を重ねてきた結果、本発明を完成したのである。
【００１３】
すなわち、本発明の目的とするところは、シート成形することができることは勿論、蓋を開ける際に内容物が飛び出すことがなく、ドレッシングを混ぜる際にも零れが発生しなくて、しかも盛り合わせ状態が崩れにくくて陳列の際の見栄えをも良好にすることができる包装用容器を提供することにある。
【課題を解決するための手段】
【００１４】
以上の課題を解決するために、まず、請求項１に係る発明の採った手段は、後述する最良形態の説明中で使用する符号を付して説明すると、
「容器本体１０の嵌合凹部１１に、蓋体２０の嵌合凸条２１を嵌合することにより、容器本体１０と蓋体２０とを一体化する包装用容器１００であって、
嵌合凹部１１を形成している外側壁１１ａの外縁に、これから立ち上がって外方に広がる第１フレア部１２を一体的に形成し、
前記蓋体２０の嵌合凸条２１の外縁に、前記容器本体１０側の第１フレア部１２上に広がる第２フレア部２２を一体的に形成し、
当該第２フレア部２２の一部に、つまみ部２７を形成し、
さらに、前記容器本体１０に前記蓋体２０を一体化した場合に、前記第２フレア部２２が前記第１フレア部１２全体を覆い尽くすことを特徴とする包装用容器１００
」
である。
【００１５】
すなわち、この請求項１に係る包装用容器１００は、シート成形された容器本体１０と蓋体２０とからなるもので、容器本体１０は、図２に示すように、図中の点線にて示した接線３０が位置することになる嵌合凹部１１を備え、蓋体２０は、図４、図７、及び図９中の点線にて示した接線３０が位置することになる嵌合凸条２１を備えている。そして、この包装用容器１００は、容器本体１０の嵌合凹部１１に、蓋体２０の嵌合凸条２１を嵌合することにより、容器本体１０に蓋体２０が一体化されるものであり、蓋体２０を容器本体１０から外すことにより、容器本体１０内に収納したカットサラダやカットフルーツが取り出せるようにしたものである。
【００１６】
そして、この請求項１の包装用容器１００においては、図２にも示すように、嵌合凹部１１を形成している外側壁１１ａの外縁に第１フレア部１２が一体的に形成してあるのであるが、この第１フレア部１２は、図３の（ａ）にも示すように、外側壁１１ａの外縁から立ち上がって外方に広がるものである。
【００１７】
一般に、蓋体の容器本体に対する嵌合は、これが「内嵌合」であれ「外嵌合」であれ、例えば特許文献１の内容を表す図１０にも示したように、容器本体や蓋体の外周縁に形成した「フランジ」と呼ばれる部分において行われるのであり、この「フランジ」が従来容器の外形を形成するものである。
【００１８】
ところが、本発明に係る包装用容器１００では、これを構成している容器本体１０の上記嵌合凹部１１が従来一般の容器の「フランジ」に該当するものであって、この嵌合凹部１１の外側にさらに第１フレア部１２が一体的に形成されているものである。なお、本発明に係る包装用容器１００では、第１フレア部１２の外周にフランジ１６が形成されてはいるが、このフランジ１６は、蓋体２０の嵌合を行う部分ではなく、当該第１フレア部１２の剛性を確保するためのものである。
【００１９】
以上の結果、この包装用容器１００においては、図２及び図３の（ａ）にて示すように、少なくともその容器本体１０において、第１フレア部１２が嵌合凹部１１の外側に大きく広がって存在していることになるから、この第１フレア部１２は、言わば「受け皿」的役割を果たすことになる。つまり、この容器本体１０から蓋体２０が急に外されて、当該容器本体１０に振動が与えられたとき、この容器本体１０の収納部内にあったカットサラダやカットフルーツが躍り出ようとしても第１フレア部１２で受け止められることになる。勿論、この第１フレア部１２は、嵌合凹部１１の外側壁１１ａから上方に向けて広がっているものであるから、受け止めたカットサラダやカットフルーツを再び容器本体１０の収納部内へ案内し、カットサラダやカットフルーツが容器本体１０外に飛び出してしまうことはないのである。
【００２０】
また、この第１フレア部１２は、嵌合凹部１１の外側壁１１ａから上方に向けて広がっているものであるから、カットサラダにドレッシングをかける際のドレッシングの零れを防止するだけでなく、ドレッシングを混ぜる操作を行う際の、カットサラダの容器本体１０外への飛び出しや零れをも防止することになる。なお、この第１フレア部１２は「受け皿」的役割を果たすから、容器本体１０の収納部内に固く詰め込まれていたカットサラダを、この上に広げて「ふんわり」としたものにすることができ、柔らかい食感のものにすることもできる。
【００２１】
さらに、この包装用容器１００は、その容器本体１０の第１フレア部１２が外側に広がっているのであるから、容器本体１０内にカットサラダやカットフルーツを詰めて展示したとき、図１にも示すように、この第１フレア部１２がカットサラダやカットフルーツの飾りの役割をも果たすことになるだけでなく、この第１フレア部１２分だけ蓋体２０側の収納部分を区切ることになって盛り合わせ状態を崩れにくくするから、見栄えを良好にするのである。
【００２２】
また、この第１フレア部１２は、図１にも示すように、容器本体１０の側壁から外方に大きく突出した部分となっているから、この包装用容器１００を手でつまんだり持ったりし易い部分となっており、当該包装用容器１００の移動や取り扱いをし易くもしているのである。
【００２３】
そして、この包装用容器１００は、その容器本体１０が第１フレア部１２を有しているものであっても、この第１フレア部１２は嵌合凹部１１の外側壁１１ａから外側に広がっているものであるから、所謂「アンダーカット部」を容器本体１０に発生させることはなく、通常のシート成形によって合成樹脂シートから成形することができるものとなっている。
【００２４】
従って、この請求項１に係る包装用容器１００は、シート成形することができることは勿論、蓋体２０を開ける際に内容物が飛び出すことがなく、ドレッシングを混ぜる際にも零れが発生しなくて、しかも盛り合わせ状態が崩れにくくて陳列の際の見栄えをも良好にすることができるものとなっているのである。
【００２５】
また、上記課題を解決するために、請求項１に係る発明の採った手段は、上記包装用容器１００について、
「蓋体２０の凸条２１の外縁に、容器本体１０側の第１フレア部１２上に広がる第２フレア部２２を一体的に形成したこと」
である。
【００２６】
すなわち、この請求項１に係る包装用容器１００は、蓋体２０の凸条２１の外縁についても第２フレア部２２を一体的に形成したものであり、この第２フレア部２２は、図１、図４及び図５に示すように、容器本体１０側の第１フレア部１２上に広がるものである。
【００２７】
この第２フレア部２２を一体的に形成した蓋体２０は、容器本体１０内に収納したカットサラダやカットフルーツの上側を覆うものであるから、これに形成した第２フレア部２２が、当該蓋体２０を容器本体１０から外した際に、カットサラダやドレッシング、あるいはカットフルーツの飛び出しや零れを防止することはない。しかしながら、この第２フレア部２２は、容器本体１０側の第１フレア部１２上に広がるものであるから、容器本体１０内にカットサラダやカットフルーツを詰めて展示したとき、図１にも示すように、第１フレア部１２上を覆ってこの第１フレア部１２上に異物が乗ったりホコリが付着したりするのを防止するだけでなく、カットサラダやカットフルーツの飾りの役割をも果たすことになって、見栄えを良好にするのである。
【００２８】
また、この蓋体２０側の第２フレア部２２は、図４及び図５に示すように、当該包装用容器１００の上面にカットサラダやカットフルーツを食するための「フォーク」や上記ドレッシングの置き場所を形成することもできるものである。
【００２９】
そして、この請求項１に係る包装用容器１００は、その蓋体２０が第２フレア部２２を有しているものであっても、この第２フレア部２２は容器本体１０側の第１フレア部１２上に広がっているものであるから、所謂「アンダーカット部」を蓋体２０に発生させることはなく、通常のシート成形によって合成樹脂シートから成形することができるものとなっている。
【００３０】
また、この第２フレア部２２は、図１にも示すように、蓋体２０や容器本体１０の側壁から外方に大きく突出した部分となっているから、この包装用容器１００を手でつまんだり持ったりし易い部分となっており、当該包装用容器１００の移動や取り扱いをし易くもしているのである。
【００３１】
なお、この請求項１に係る包装用容器１００でも、第２フレア部２２の外周にフランジ２６が形成されてはいるが、このフランジ２６は、蓋体２０の容器本体１０への嵌合を行う部分ではなく、当該第２フレア部２２の剛性を確保するためのものである。
【００３２】
従って、この請求項１の包装用容器１００は、第２フレア部２２によって陳列時の見栄えを良好にし、カットサラダやカットフルーツを食するための「フォーク」や上記ドレッシングの置き場所が確保されるものとなっている。
【発明の効果】
【００３３】
以上、説明した通り、本発明においては、
「容器本体１０の嵌合凹部１１に、蓋体２０の嵌合凸条２１を嵌合することにより、容器本体１０と蓋体２０とを一体化する包装用容器１００であって、
嵌合凹部１１を形成している外側壁１１ａの外縁に、これから立ち上がって外方に広がる第１フレア部１２を一体的に形成し、
前記蓋体２０の嵌合凸条２１の外縁に、前記容器本体１０側の第１フレア部１２上に広がる第２フレア部２２を一体的に形成し、
当該第２フレア部２２の一部に、つまみ部２７を形成し、
さらに、前記容器本体１０に前記蓋体２０を一体化した場合に、前記第２フレア部２２が前記第１フレア部１２全体を覆い尽くすこと」
にその構成上の主たる特徴があり、これにより、シート成形することができることは勿論、蓋体２０を開ける際に内容物が飛び出すことがなく、ドレッシングを混ぜる際にも零れが発生しなくて、しかも盛り合わせ状態が崩れにくくて陳列の際の見栄えをも良好にすることができる包装用容器１００を提供することができる。
【図面の簡単な説明】
【００３４】
【図１】本発明に係る包装用容器１００の断面図である。
【図２】同包装用容器１００を構成する容器本体１０を示すもので、（ａ）は平面図、（ｂ）は右半分を（ａ）中の１−１線での縦断面図にした正面図である。
【図３】同包装用容器１００の容器本体１０に形成してある第１フレア部１２を示すもので、（ａ）は容器本体１０の一部分とその中の２−２線部での部分断面図、（ｂ）は複数の容器本体１０を積み重ねたときの（ａ）中の３−３線での部分断面図である。
【図４】同包装用容器１００を構成する蓋体２０の平面図である。
【図５】同包装用容器１００を構成する蓋体２０を示すもので、右半分を縦断面図にした正面図である。
【図６】同包装用容器１００の蓋体２０に形成してある第２フレア部２２を示すもので、（ａ）は蓋体２０の一部分とその中の４−４線部での部分断面図、（ｂ）は複数の蓋体２０を積み重ねたときの（ａ）中の５−５線での部分断面図である。
【図７】同包装用容器１００の他の例を構成する容器本体１０を示すもので、（ａ）は平面図、（ｂ）は右半分を縦断面図にした正面図である。
【図８】同包装用容器１００の他の例を構成する蓋体２０を示すもので、（ａ）は平面図、（ｂ）は右半分を縦断面図にした正面図である。
【図９】同包装用容器１００の、平面視円形にした容器本体１０を示すもので、（ａ）は平面図、（ｂ）は右半分を縦断面図にした正面図である。
【図１０】特許文献１に記載された従来例を示す斜視図である。
【発明を実施するための形態】
【００３５】
以上のように構成した本発明を、図面に示した実施の形態に係る包装用容器１００について説明すると、図１には、容器本体１０に蓋体２０を嵌合して一体化した包装用容器１００の断面図が示してある。
【００３６】
容器本体１０は、合成樹脂シートを真空または圧空成形、つまりシート成形したものであり、図２の（ａ）及び（ｂ）に示したように、底面の周囲から立ち上がる側壁１０ａと、この側壁１０ａの上端に一体成形した嵌合凹部１１と、この嵌合凹部１１の外側壁１１ａ端部から上方に向けて広がる第１フレア部１２とを一体成形したものである。
【００３７】
この容器本体１０の底面は、図２の（ｂ）にて示したように、中央部が少し盛り上がった所謂上げ底状にしてあり、周囲が陳列棚等の上に接するものである。そして、この底面の周囲には、複数の通気部１５が形成してあって、この通気部１５を通して、底面の中央部と陳列棚等との間の通気が可能となるようにしてある。換言すれば、当該包装用容器１００は、その容器本体１０の底面の中央部を少し上げるとともに、底面の周囲に複数の通気部１５を形成したことによって、その周囲全体への冷気の循環が確実に行えるようにしてある。
【００３８】
また、容器本体１０の側壁１０ａについて見てみると、図２の（ａ）にて示したように、コーナー部（実施例では平面視長方形または正方形であるため、４つのコーナーが存在する）には、大内リブ１３ａが形成してあり、これらの大内リブ１３ａの間では、複数の小内リブ１３ｂが形成してあって、これらの小内リブ１３ｂ及び大内リブ１３ａは、いずれも容器本体１０内に突出させてある。
【００３９】
これらの大内リブ１３ａ及び小内リブ１３ｂは、側壁１０ａの剛性を高めるために形成してあることは当然であるが、これらを言わば内側に突出したものとすることによって、カットサラダやカットフルーツが側壁１０ａの内面に余り接触しないようにしているのである。カットサラダやカットフルーツは、側壁１０ａの内面に接触したままの状態であると、水分によって変色したり、場合によって傷んだりすることがあるため、これらの大内リブ１３ａや小内リブ１３ｂによってなるべく側壁１０ａの内面に接触しないようにしているのである。
【００４０】
さらに、この側壁１０ａの一部には、図２の（ａ）及び（ｂ）にて示したように、ブロッキング防止部１４が形成してある。このブロッキング防止部１４は、当該容器本体１０の多数を積み重ねたときに、図３の（ｂ）にも示したように、容器本体１０同士が互いに嵌り込（ブロッキング現象）まないようにするものである。本実施例に係る包装用容器１００の容器本体１０では、上記ブロッキング防止機能をより効果的にするために、図３の（ａ）にて示すように、後述する第１フレア部１２に内外に突出する第１段部１２ａ及び第２段部１２ｂを形成しており、これらの第１段部１２ａ及び第２段部１２ｂによってもブロッキングを防止している。
【００４１】
さて、第１段部１２ａ及び第２段部１２ｂを有する第１フレア部１２は、図１、図２、及び図３の（ａ）にて示したように、容器本体１０の嵌合凹部１１を形成している外側壁１１ａの外縁に、これから立ち上がって外方に広がるように一体的に形成してある。嵌合凹部１１は、容器本体１０の開口部内側全周にわたって形成してあり、同じく全周にわたって形成した蓋体２０側の嵌合凸条２１の全周が嵌合できるようにして、当該包装用容器１００の密閉性を高めることができるようにしてある。従って、この嵌合凹部１１の外側壁１１ａから立ち上がって外方に広がっている第１フレア部１２は、図１及び図２に示したように、容器本体１０の開口部内側全周にわたって広がっているものである。
【００４２】
なお、この第１フレア部１２の外周縁には、図３の（ａ）にも示したように、フランジ１６が第１フレア部１２の全周にわたって形成してある。このフランジ１６は、第１フレア部１２自体の剛性を確保するものであり、一般的なフランジとは異なって、蓋体２０側の嵌合凸条２１が嵌合されるものではない。従って、このフランジ１６の延在方向は、第１フレア部１２の広がり方向とは異なった方向になるように、つまり、第１フレア部１２の先端で下方に折れ曲がるような状態にしてある。
【００４３】
以上のような容器本体１０に嵌合される蓋体２０も、合成樹脂シートを真空または圧空成形、つまりシート成形したものであって、図４〜図６に示したように形成したものであり、容器本体１０側の嵌合凹部１１に嵌合される嵌合凸条２１の下端は、図５に示したように、当該蓋体２０の下端を形成している。この嵌合凸条２１の外縁からは、容器本体１０側の第１フレア部１２上に広がる第２フレア部２２が形成してあり、この第２フレア部２２の先端はフランジ２６となっている。
【００４４】
以上の第２フレア部２２は、容器本体１０側の第１フレア部１２上に向けて広がるものであるから、図１にも示したように、容器本体１０側の第１フレア部１２全体を覆い尽くすものとなっており、これにより、第１フレア部１２上にゴミやホコリを堆積させないことは勿論、結露した水滴が直接第１フレア部１２上に垂れ込むことを防止して容器本体１０内に流れ込むことをも防止している。
【００４５】
また、この第２フレア部２２の一部には、図１及び図４に示したように、つまみ部２７が形成してあり、このつまみ部２７を利用することによって、当該蓋体２０を容器本体１０から外す際の力を部分的に掛けられるようにして、当該蓋体２０の急激な嵌合解除が行われないようにしている。
【００４６】
なお、本実施例の第２フレア部２２については、図５に示したように、容器本体１０側の第１フレア部１２と同様に、内外に交互に突出する第１段部２２ａ及び第２段部２２ｂが形成してあり、また、この蓋体２０の立ち上げ壁２３ａの一部には、図４に示したように、ブロッキング防止部２４が形成してある。これらのブロッキング防止部２４及び第１段部２２ａや第２段部２２ｂは、図６の（ｂ）にて示すように、当該蓋体２０の多数を積み重ねたときの所謂ブロッキングを防止するのである。
【００４７】
一方、この第２フレア部２２を一体化した嵌合凸条２１の内側端縁からは、図６の（ａ）にも示したように、立ち上げ壁２３ａが立ち上がり、この立ち上げ壁２３ａの先端に天板２３が一体的に形成してある。勿論、この天板２３は、この蓋体２０が容器本体１０側に嵌合されたとき、図１にも示したように、容器本体１０の収納部の上方を覆うことになるものであるが、図５に示したように、第２フレア部２２の上面より僅かに上方に突出するものである。このように、天板２３を第２フレア部２２から上方に位置するものとしたのは、この蓋体２０を嵌合した容器本体１０内の容積を増やすこともあるが、収納したカットサラダやカットフルーツの見栄えを良くするためである。
【００４８】
もし、天板２３の位置を例えば嵌合凸条２１の位置まで下げれば、当然のことながら、収納されるべきカットサラダやカットフルーツの量が減って見栄えが良くない。逆に、この天板２３の位置を第２フレア部２２より余り高くすると、カットサラダやカットフルーツが包装用容器１００内にてガサついて見えるため、これも見栄えが良くないことになるだけでなく、場合によっては、当該蓋体２０を容器本体１０から外したときに、内容物の飛散や零れを発生させることにもなる。従って、図５に示したように、当該天板２３は第２フレア部２２から僅かに上方になるように形成するのが最も好ましい。
【００４９】
また、この天板２３のコーナー部には、図４及び図５にも示したように、この天板２３から僅か上方に膨出した載置台２５が形成してあるが、これらの載置台２５は、当該天板２３の剛性を高めるだけでなく、当該包装用容器１００の上方に積み上げられた他の包装用容器１００の容器本体１０を、当該天板２３と容器本体１０との間に空気流通空間を確保した状態で支えるものである。そして、これら各載置台２５は、容器本体１０側の底面の形状に合う形状にしてあり、複数の包装用容器１００の積み上げを行うにあたっての各包装用容器１００間の位置決めをも可能にするものである。
【００５０】
以上の図１〜図６の実施例に係る包装用容器１００においては、平面視が「長方形状」となるものを例示しているが、この包装用容器１００は、図７及び図８に示したように、「正方形状」のものとして実施されることがある。
【００５１】
これらの図７及び図８に示した実施例に係る包装用容器１００では、その平面視形状が正方形である以外は、上記図１〜図６に示したものと同様であるので、図７及び図８中に上記実施例にて使用したのと同じ符号を、同一部分に付すことによって、その詳細な説明は省略することとする。
【００５２】
また、図９の実施例においては、平面視が「円形」となる容器本体１０を例示しているが、この容器本体１０に嵌合される蓋体２０も、同じく平面視円形に形成されて、円形の包装用容器１００が構成されることは言うまでもない。
【００５３】
このように、平面視が「円形」となる容器本体１０や蓋体２０では、方向性が殆どないので、製造上は勿論、使用上でも便利なものとなる。それだけでなく、このような円形の包装用容器１００の多数を陳列した際には、各包装用容器１００間に手指が入れられる隙間が多く形成されることになるから、これらの円形の各包装用容器１００の取り出しが非常に容易となる。そして、平面視が円形の容器本体１０と蓋体２０とであれば、第１フレア部１２等の存在によって両者間の液密的な嵌合が確実に行えることになる。
【符号の説明】
【００５４】
１００ 包装用容器
１０ 容器本体
１０ａ 側壁
１１ 嵌合凹部
１１ａ 外側壁
１２ 第１フレア部
１２ａ 第１段部
１２ｂ 第２段部
１３ａ 大内リブ
１３ｂ 小内リブ
１４ ブロッキング防止部
１５ 通気部
１６ フランジ
２０ 蓋体
２１ 嵌合凸条
２２ 第２フレア部
２２ａ 第１段部
２２ｂ 第２段部
２３ 天板
２３ａ 立ち上げ壁
２４ ブロッキング防止部
２５ 載置台
２６ フランジ
２７ つまみ部
３０ 接線
【図１】
0005461922.tif 000002
【図２】
0005461922.tif 000003
【図３】
0005461922.tif 000004
【図４】
0005461922.tif 000005
【図５】
0005461922.tif 000006
【図６】
0005461922.tif 000007
【図７】
0005461922.tif 000008
【図８】
0005461922.tif 000009
【図９】
0005461922.tif 000010
【図１０】
0005461922.tif 000011